(57)【要約】【課題】操作レバーと摺動部材との間のガタを抑制して質感を向上させるとともに、摺動部材の摺動を円滑に行わせて操作性を維持することができる変速操作装置を提供する。【解決手段】回動操作によって車両の変速機を操作可能な操作レバー２と、操作レバー２に取り付けられ、当該操作レバー２の長手方向に摺動可能な摺動部材３と、摺動部材３を初期位置に向かって付勢するコイルスプリング５と、操作レバー２が回動可能に取り付けられるブラケットＢと、摺動部材３に形成され、操作レバー２に対して当接する当接部３ｄとを備えた変速操作装置１であって、当接部３ｄは、操作レバー２に接触した接触部３ｄａと、接触部３ｄａが形成されるとともに、弾性変形した状態で摺動部材３の摺動方向に延設された延設部３ｄｂとを具備したものである。【選択図】図１３
2020029227.tif 000002
【特許請求の範囲】
【請求項１】
回動操作によって車両の変速機を操作可能な操作レバーと、
前記操作レバーに取り付けられ、当該操作レバーの長手方向に摺動可能な摺動部材と、
前記摺動部材を初期位置に向かって付勢する付勢手段と、
前記操作レバーが回動可能に取り付けられるブラケットと、
前記操作レバー及び摺動部材の何れか一方に形成され、当該操作レバー及び摺動部材の他方に対して当接する当接部と、
を備えた変速操作装置であって、
前記当接部は、
前記操作レバー又は摺動部材に接触した接触部と、
所定位置に前記接触部が形成されるとともに、弾性変形した状態で前記摺動部材の摺動方向に延設された延設部と、
を具備したことを特徴とする変速操作装置。
【請求項２】
前記当接部は、前記操作レバー及び摺動部材の何れか一方の周方向に複数形成され、前記操作レバーに対して前記摺動部材が回転した際、前記延設部の全体の弾性変形量を保持し得ることを特徴とする請求項１記載の変速操作装置。
【請求項３】
前記操作レバー又は摺動部材は、前記摺動部材の摺動を案内する案内部材を有するとともに、前記案内部材は、前記操作レバーに対する前記摺動部材の摺動過程において前記接触部を摺動させる摺動面が形成されたことを特徴とする請求項１又は請求項２記載の変速操作装置。
【請求項４】
前記案内部材は、前記操作レバーに対する前記摺動部材の回転を規制することを特徴とする請求項３記載の変速操作装置。
【請求項５】
前記摺動部材は、樹脂製の成形品から成り、前記当接部が一体形成されたことを特徴とする請求項１〜４の何れか１つに記載の変速操作装置。
【請求項６】
前記摺動部材の一端側に前記付勢手段が配設されるとともに、他端側に当接部が形成されたことを特徴とする請求項１〜５の何れか１つに記載の変速操作装置。
【請求項７】
請求項１〜６の何れか１つの変速操作装置を搭載した自動車。
【発明の詳細な説明】
【技術分野】
【０００１】
本発明は、車両の変速機を操作し得る変速操作装置に関するものである。
【背景技術】
【０００２】
車両に搭載される変速機（トランスミッション）を変速操作するための変速操作装置は、通常、回動操作可能な操作レバーを有しており、運転者が当該操作レバーを把持しつつ所望位置まで回動させることにより、変速機の変速段を所望に操作可能とされている。しかるに、手動で変速操作する変速操作装置におけるリバース（Ｒ）に変速操作する際の安全機構として、操作レバーに摺動部材が取り付けられたものが開示されている。
【０００３】
かかる従来の変速操作装置は、例えば特許文献１に開示されているように、摺動部材に干渉部を設け、操作レバーをリバースに変速操作する際、ブラケットに形成された被干渉部に干渉してリバースへの変速操作を規制するとともに、運転者が摺動部材を上方に向かって摺動させることにより、被干渉部に対する干渉部の干渉を回避させ、リバースへの変速操作を可能としている。
【先行技術文献】
【特許文献】
【０００４】
【特許文献１】欧州特許出願公開第０８３４６８３号明細書
【発明の概要】
【発明が解決しようとする課題】
【０００５】
しかしながら、上記従来技術においては、操作レバーに対して摺動する摺動部材を具備していたため、以下の如き問題があった。
通常、摺動部材を操作レバーの長手方向に摺動させるには、当該摺動部材と操作レバーとの間にクリアランスが必要とされ、かかるクリアランスによってガタが生じて質感を悪化させてしまう虞があった。一方、従来技術においては、延設部及び接触部を有した当接部材を摺動部材に形成し、延設部が弾性変形した状態で接触部が操作レバーに接触しているので、構成上、ガタを抑制し得るものであった。
【０００６】
しかし、従来技術における当接部は、その延設部が摺動部材の摺動方向に対して略直交する方向に延設していたため、摺動部材が操作レバーに対して摺動する過程において、延設部が幅方向（摺動部材の摺動方向）に撓んでしまい、摺動抵抗が大きくなって操作性が悪化してしまうという不具合があった。
【０００７】
本発明は、このような事情に鑑みてなされたもので、操作レバーと摺動部材との間のガタを抑制して質感を向上させるとともに、摺動部材の摺動を円滑に行わせて操作性を維持することができる変速操作装置を提供することにある。
【課題を解決するための手段】
【０００８】
請求項１記載の発明は、回動操作によって車両の変速機を操作可能な操作レバーと、前記操作レバーに取り付けられ、当該操作レバーの長手方向に摺動可能な摺動部材と、前記摺動部材を初期位置に向かって付勢する付勢手段と、前記操作レバーが回動可能に取り付けられるブラケットと、前記操作レバー及び摺動部材の何れか一方に形成され、当該操作レバー及び摺動部材の他方に対して当接する当接部とを備えた変速操作装置であって、前記当接部は、前記操作レバー又は摺動部材に接触した接触部と、所定位置に前記接触部が形成されるとともに、弾性変形した状態で前記摺動部材の摺動方向に延設された延設部とを具備したことを特徴とする。
【０００９】
請求項２記載の発明は、請求項１記載の変速操作装置において、前記当接部は、前記操作レバー及び摺動部材の何れか一方の周方向に複数形成され、前記操作レバーに対して前記摺動部材が回転した際、前記延設部の全体の弾性変形量を保持し得ることを特徴とする。
【００１０】
請求項３記載の発明は、請求項１又は請求項２記載の変速操作装置において、前記操作レバー又は摺動部材は、前記摺動部材の摺動を案内する案内部材を有するとともに、前記案内部材は、前記操作レバーに対する前記摺動部材の摺動過程において前記接触部を摺動させる摺動面が形成されたことを特徴とする。
【００１１】
請求項４記載の発明は、請求項３記載の変速操作装置において、前記案内部材は、前記操作レバーに対する前記摺動部材の回転を規制することを特徴とする。
【００１２】
請求項５記載の発明は、請求項１〜４の何れか１つに記載の変速操作装置において、前記摺動部材は、樹脂製の成形品から成り、前記当接部が一体形成されたことを特徴とする。
【００１３】
請求項６記載の発明は、請求項１〜５の何れか１つに記載の変速操作装置において、前記摺動部材の一端側に前記付勢手段が配設されるとともに、他端側に当接部が形成されたことを特徴とする。
【００１４】
請求項７記載の発明は、請求項１〜６の何れか１つの変速操作装置を搭載した自動車。
【発明の効果】
【００１５】
請求項１の発明によれば、操作レバー又は摺動部材に当接する当接部を有し、当接部は、操作レバー又は摺動部材に接触した接触部と、所定位置に接触部が形成されるとともに、弾性変形した状態で摺動部材の摺動方向に延設された延設部とを具備したので、操作レバーと摺動部材との間のガタを抑制して質感を向上させるとともに、摺動部材の摺動を円滑に行わせて操作性を維持することができる。
【００１６】
請求項２の発明によれば、当接部は、操作レバー及び摺動部材の何れか一方の周方向に複数形成され、操作レバーに対して摺動部材が回転した際、延設部の全体の弾性変形量を保持し得るので、摺動部材の操作時に摺動部材が捩れて操作レバーに対して回転しても、接触部により付与される接触圧を一定に保持することができ、回転方向に対するガタを抑制することができる。
【００１７】
請求項３の発明によれば、操作レバー又は摺動部材は、摺動部材の摺動を案内する案内部材を有するとともに、案内部材は、操作レバーに対する摺動部材の摺動過程において接触部を摺動させる摺動面が形成されたので、案内部材が、摺動部材を摺動させる際の案内機能と、接触部を摺動させる機能とを兼ね備えることができる。
【００１８】
請求項４の発明によれば、案内部材は、操作レバーに対する摺動部材の回転を規制するので、案内部材が、摺動部材を摺動させる際の案内機能と、操作レバーに対する摺動部材の回転止め機能と、接触部を摺動させる機能とを兼ね備えることができる。
【００１９】
請求項５の発明によれば、摺動部材は、樹脂製の成形品から成り、当接部が一体形成されたので、当接部を容易に形成することができる。
【００２０】
請求項６の発明によれば、摺動部材の一端側に付勢手段が配設されるとともに、他端側に当接部が形成されたので、他端側（付勢手段の配設位置と反対側）に発生するガタを効果的に抑制することができる。
【００２１】
請求項７の発明によれば、請求項１〜６の効果を奏する自動車を提供することができる。
【図面の簡単な説明】
【００２２】
【図１】本発明の実施形態に係る変速操作装置を示す正面図
【図２】同変速操作装置を示す右側面図
【図３】同変速操作装置を示す斜視図
【図４】同変速操作装置における操作レバーを示す３面図
【図５】同操作レバーの上部を示す斜視図
【図６】同変速操作装置における摺動部材を示す４面図
【図７】図６におけるＶＩＩ−ＶＩＩ線断面図
【図８】同摺動部材の下部を示す斜視図
【図９】同変速操作装置における変速レバーに摺動部材を組み付けた状態を示す正面図及び側面図
【図１０】図９におけるＸ−Ｘ線断面図
【図１１】図９におけるＸＩ−ＸＩ線断面図
【図１２】図９におけるＸＩＩ−ＸＩＩ線断面図
【図１３】同変速操作装置における当接部及び案内部材の摺動面を示す拡大図
【図１４】本発明の他の実施形態に係る変速操作装置の当接部を示すための断面図
【図１５】本発明の他の実施形態に係る変速操作装置の当接部を示すための断面図
【図１６】本発明の他の実施形態に係る変速操作装置の当接部を示すための断面図
【図１７】本発明の他の実施形態に係る変速操作装置の当接部を示すための断面図
【図１８】本発明の他の実施形態に係る変速操作装置の当接部を示すための断面図
【図１９】本発明の他の実施形態に係る変速操作装置の当接部を示すための断面図
【図２０】本発明の他の実施形態に係る変速操作装置の当接部を示すための断面図
【発明を実施するための形態】
【００２３】
以下、本発明の実施形態について図面を参照しながら具体的に説明する。
本実施形態に係る変速操作装置１は、自動車の運転席近傍に取り付けられるもので、図１〜３に示すように、操作レバー２と、摺動部材３と、ブラケットＢとを具備して構成され、操作レバー２の回動操作に伴って操作ワイヤ（不図示）を動作させることにより車両が搭載する変速機（トランスミッション）を任意に操作し得るものである。
【００２４】
操作レバー２は、回動軸を中心に回動することによって車両の変速機を操作可能なもので、先端に操作ノブＮ（図１、２参照）が取り付けられ、当該操作ノブＮを運転者が把持しつつブラケットＢに対して回動操作可能とされている。そして、操作レバー２を任意の位置（例えば、１段〜６段、及びリバース（Ｒ）等の位置）まで回動操作すると、その位置に応じた変速機の操作が可能とされている。
【００２５】
また、本実施形態に係る操作レバー２は、図４、５に示すように、樹脂成形部品から成る案内部材４がインサート成形されるとともに、上端部には、コイルスプリング５（付勢手段）が取り付けられるよう構成されている。かかるコイルスプリング５は、摺動部材３を初期位置（操作レバー２の下端側）に向かって付勢するもので、当該コイルスプリング５の付勢力に抗して摺動部材３が摺動可能とされている。さらに、操作レバー２の上端部には、コイルスプリング５の上端を受けるための円環状のスプリング受け部材６が取り付けられている。なお、コイルスプリング５の下端は、摺動部材３に形成された受け部３ｆ（図１０、１１参照）にて受けるようになっている。
【００２６】
摺動部材３は、操作レバー２の外周に取り付けられ、当該操作レバー２の長手方向に摺動可能なもので、図６〜８に示すように、側方へ膨出した形状の掴み部３ａと、一方側に突出形成された干渉部３ｂと、内部の操作レバー２を視認可能な窓部３ｃと、当接部３ｄと、被案内部３ｅと、受け部３ｆとを有して構成されている。そして、運転者が操作ノブＮを把持しつつ掴み部３ａを掴み、上方へ引き上げることにより、摺動部材３がコイルスプリング５の付勢力に抗して操作レバー２に沿って上方に移動し得るようになっている。
【００２７】
干渉部３ｂは、摺動部材３を上方に移動させずに操作レバー２をリバース（Ｒ）側に回動しようとすると、ブラケットＢの被干渉部Ｂａに干渉して当該操作レバー２のリバース（Ｒ）位置への回動を防止し得るものである。なお、操作レバー２に対して摺動部材３が上方へ移動した状態において、操作レバー２をリバース（Ｒ）側に移動すると、被干渉部Ｂａに対する干渉部３ｂの干渉が回避され、図１の二点鎖線で示すように、操作レバー２のリバース（Ｒ）位置の回動が許容される。
【００２８】
一方、操作レバー２に一体的に形成された案内部材４は、操作レバー２の軸方向（摺動部材３の摺動方向）に延設された一対の凸条部４ａが周方向に２組形成されており、それぞれの凸条部４ａの離間部が摺動部材３に形成された被案内部３ｅを嵌入し得る嵌入溝４ａｂを構成している。しかして、図１２、１３に示すように、嵌入溝４ａｂに被案内部３ｅが嵌入して組み付けられるので、操作レバー２に対する摺動部材３の摺動過程において、被案内部３ｅが嵌入溝４ａｂにて案内されて摺動部材３の摺動を案内し得るとともに、操作レバー２に対する摺動部材３の回転を規制することができる。
【００２９】
ブラケットＢは、操作レバー２が回動可能に取り付けられるとともに、車両の運転席近傍に固定されるもので、図１〜３に示すように、被干渉部Ｂａを有して構成されている。かかるブラケットＢは、セレクトレバーＭを有して構成されており、このセレクトレバーＭには、一端が変速機のセレクト機構に連結されたセレクトケーブル（操作ケーブル）の他端が接続可能とされている。なお、操作レバー２の下端部には、一端が変速機のシフト機構に連結されたシフトケーブル（操作ケーブル）の他端が接続可能とされている。
【００３０】
ここで、本実施形態に係る変速操作装置１は、摺動部材３に形成され、操作レバー２に対して当接する当接部３ｄが形成されている。かかる当接部３ｄは、図６〜８、１２、１３に示すように、操作レバー２の案内部材４（具体的には案内部材４の凸条部４ａの側面）に接触した接触部３ｄａと、所定位置（本実施形態においては先端）に接触部３ｄａが形成されるとともに、弾性変形した状態（撓んだ状態）で摺動部材３の摺動方向（すなわち、操作レバー２の軸方向）に延設された延設部３ｄｂとを有して構成されている。
【００３１】
より具体的には、当接部３ｄは、樹脂製の成形品から成る摺動部材３に一体形成された部位であり、摺動部材３の摺動方向に延設されたアーム状の延設部３ｄｂの先端に爪状の接触部３ｄａが形成されるとともに、摺動部材３を操作レバー２に組み付けた状態において、接触部３ｄａが案内部材４の所定位置に接触しつつ延設部３ｄｂが撓んで弾性変形した状態となっている。これにより、接触部３ｄａは、延設部３ｄｂの弾性変形によって、摺動部材３（案内部材４）に対して所定の接触圧を有して接触している。
【００３２】
また、当接部３ｄの接触部３ｄａは、案内部材４に形成された凸条部４ａの側面から成る摺動面４ａａに対して所定の接触圧を有して接触しており、操作レバー２に対して摺動部材３が摺動する過程において、接触部３ｄａが摺動面４ａａ上を摺動し得るようになっている。これにより、操作レバー２に対して摺動部材３が摺動する際、接触部３ｄａが一定の接触圧を維持しつつ摺動面４ａａに対して接触することとなる。
【００３３】
しかるに、凸条部４ａは、案内部材４の径方向に突出形成された板形状とされており、かかる凸条部４ａが所定寸法離間して嵌入溝４ａｂを形成するとともに、操作レバー２の周方向に２組（１つの嵌入溝４ａｂを形成する一対の凸条部４ａが２組）形成されている。そして、それぞれの組の凸条部４ａの側面（摺動面４ａａ）には、接触部３ｄａが接触して組み付けられており、操作レバー２の軸方向に摺動部材３が摺動するのに伴い、接触部３ｄａが摺動面４ａａ上を摺動するようになっている。
【００３４】
さらに、本実施形態に係る当接部３ｄは、図７、８、１２に示すように、摺動部材３の周方向に複数（本実施形態においては２つ）形成され、操作レバー２に対して摺動部材３が回転した際、延設部３ｄｂの全体の弾性変形量（撓み量）を保持し得るようになっている。すなわち、当接部３ｄは、２組の凸条部４ａに対応する位置にそれぞれ形成されており、図１２に示すように、操作レバー２に対して摺動部材３がａ方向に回転すると、Ｂ側の当接部３ｄの弾性変形量（撓み量）が減少するものの、Ａ側の当接部３ｄの弾性変形量（撓み量）が増加し、全体の弾性変形量が保持されることとなる。また、操作レバー２に対して摺動部材３がｂ方向に回転すると、Ａ側の当接部３ｄの弾性変形量（撓み量）が減少するものの、Ｂ側の当接部３ｄの弾性変形量（撓み量）が増加し、全体の弾性変形量が保持される。
【００３５】
またさらに、本実施形態においては、摺動部材３の一端側（上端側）にコイルスプリング５（付勢手段）が配設されるとともに、他端側（下端側）に当接部３ｄが形成されている。なお、本実施形態に係る当接部３ｄは、摺動部材３の周方向に２つ形成されているが、図１４に示すように、単一の当接部３ｄを有するものとしてもよく、或いは３つ以上の当接部３ｄを有するものであってもよい。また、本実施形態に係る当接部３ｄは、案内部材４に形成された摺動面４ａａに接触部３ｄａが接触及び摺動し得るようになっているが、案内部材４とは別個に形成された面に接触部３ｄａが接触及び摺動し得るようにしてもよい。
【００３６】
本実施形態によれば、摺動部材３に形成され、操作レバー２に対して当接する当接部３ｄを有し、当接部３ｄは、操作レバー２に接触（本実施形態においては案内部材４を介して操作レバー２に接触）した接触部３ｄａと、所定位置に接触部３ｄａが形成されるとともに、弾性変形した状態で摺動部材３の摺動方向に延設された延設部３ｄｂとを具備したので、操作レバー２と摺動部材３との間のガタを抑制して質感を向上させるとともに、摺動部材３の摺動を円滑に行わせて操作性を維持することができる。
【００３７】
また、本実施形態に係る当接部３ｄは、摺動部材３の周方向に複数形成され、操作レバー２に対して摺動部材３が回転した際、延設部３ｄｂの全体の弾性変形量を保持し得るので、摺動部材３の操作時に摺動部材３が捩れて操作レバー２に対して回転しても、接触部３ｄａにより付与される接触圧を一定に保持することができ、回転方向に対するガタを抑制することができる。
【００３８】
さらに、本実施形態に係る操作レバー２は、摺動部材３の摺動を案内する案内部材４を有するとともに、案内部材４は、操作レバー２に対する摺動部材３の摺動過程において接触部３ｄａを摺動させる摺動面４ａａが形成されたので、案内部材４が、摺動部材３を摺動させる際の案内機能と、接触部３ｄａを摺動させる機能とを兼ね備えることができる。加えて、本実施形態に係る案内部材４は、操作レバー２に対する摺動部材３の回転を規制するので、案内部材４が、摺動部材３を摺動させる際の案内機能と、操作レバー２に対する摺動部材３の回転止め機能と、接触部３ｄａを摺動させる機能とを兼ね備えることができる。
【００３９】
さらに、本実施形態に係る摺動部材３は、樹脂製の成形品から成り、当接部３ｄが一体形成されたので、当接部３ｄを容易に形成することができる。すなわち、摺動部材３を樹脂成形する際の成形金型に当接部３ｄを形成するための形状を作り込んでおけば、当接部３ｄが一体形成された摺動部材３を簡単に得ることができるのである。またさらに、摺動部材３の一端側（上端側）にコイルスプリング５（付勢手段）が配設されるとともに、他端側（下端側）に当接部３ｄが形成されているので、他端側（付勢手段の配設位置と反対側）に発生するガタを効果的に抑制することができる。また、本実施形態に係る変速操作装置は、自動車に適用されたので、本実施形態の上記効果を奏する自動車を提供することができる。
【００４０】
以上、本実施形態について説明したが、本発明はこれに限定されず、例えば図１５に示すように、摺動部材３に形成された当接部３ｄの接触部３ｄａの接触圧を摺動部材３の摺動方向に対して略直交する方向に作用させ、案内部材４に対して同方向（摺動方向に対して略直交する方向であって操作レバー２の径方向）に接触部３ｄａを接触させるものとしてもよい。この場合、図１６に示すように、単一の当接部３ｄを有するものとしてもよい。また、図１７に示すように、摺動部材３に形成された当接部３ｄの接触部３ｄａを操作レバー２の側面に直接接触させるものとしてもよく、その場合、図１８に示すように、単一の当接部３ｄを有するものとしてもよい。
【００４１】
さらに、本実施形態に係る当接部３ｄは、摺動部材３に形成され、（案内部材４を介して）操作レバー２に当接しているが、図１９に示すように、操作レバー２に形成され、摺動部材３の所定部位（同図における面ｆ）に当接する当接部４ｂとしてもよく、その場合、図２０に示すように、単一の当接部４ｂを有するものとしてもよい。すなわち、当接部は、操作レバー２及び摺動部材３の何れか一方に形成され、当該操作レバー２及び摺動部材３の他方に対して当接するものであれば足りるのである。
【００４２】
またさらに、本実施形態においては、摺動部材３の一端側（上端側）にコイルスプリング５（付勢手段）が配設されるとともに、他端側（下端側）に当接部３ｄが形成されているが、例えば摺動部材３の他端側（すなわち、下端側）にコイルスプリング５（付勢手段）が配設されるとともに、一端側（上端側）に当接部３ｄが形成されたものとしてもよい。なお、コイルスプリング５及び当接部３ｄは、摺動部材３の上端又は下端に配設されるものに限らず、摺動部材３の他の位置（上端と下端の間の中間位置等）に配設されるものであってもよい。
【００４３】
なお、本実施形態においては、マニュアルトランスミッションを操作する変速操作装置に適用されているが、オートマティックトランスミッションを操作する変速操作装置に適用してもよい。また、本実施形態においては、適用される車両が自動車とされているが、他の形態の車両に適用してもよい。
【産業上の利用可能性】
【００４４】
操作レバー又は摺動部材に接触した接触部と、所定位置に接触部が形成されるとともに、弾性変形した状態で摺動部材の摺動方向に延設された延設部とを具備した当接部を有した変速操作装置であれば、外観形状が異なるもの或いは他の機能が付加されたもの等にも適用することができる。
【符号の説明】
【００４５】
１  変速操作装置
２  操作レバー
３  摺動部材
３ａ  掴み部
３ｂ  干渉部
３ｃ  窓部
３ｄ  当接部
３ｄａ  接触部
３ｄｂ  延設部
３ｅ  被案内部
３ｆ  受け部
４  案内部材
４ａ  凸条部
４ａａ  摺動面
４ａｂ  嵌入溝
５  コイルスプリング（付勢手段）
６  スプリング受け部材
Ｂ  ブラケット
Ｂａ  被干渉部
Ｎ  操作ノブ
【図１】
2020029227.tif 000003
【図２】
2020029227.tif 000004
【図３】
2020029227.tif 000005
【図４】
2020029227.tif 000006
【図５】
2020029227.tif 000007
【図６】
2020029227.tif 000008
【図７】
2020029227.tif 000009
【図８】
2020029227.tif 000010
【図９】
2020029227.tif 000011
【図１０】
2020029227.tif 000012
【図１１】
2020029227.tif 000013
【図１２】
2020029227.tif 000014
【図１３】
2020029227.tif 000015
【図１４】
2020029227.tif 000016
【図１５】
2020029227.tif 000017
【図１６】
2020029227.tif 000018
【図１７】
2020029227.tif 000019
【図１８】
2020029227.tif 000020
【図１９】
2020029227.tif 000021
【図２０】
2020029227.tif 000022